(57)【要約】【課題】  ゴミ収納部から床立ち上げ管への連通接続を、ナットによる締め付け箇所をなくすることで、完全な漏水防止を達成することができ、しかも、日本住宅性能表示基準に適合し、床立ち上げ管との芯ズレを容易に合致させることができる、排水施工が非常に簡単で余計なコストが掛からない排水装置を提供する。【解決手段】  シンクや洗い場の底部に取り付けられるゴミ収納部と、該ゴミ収納部に連通接続される排水トラップ部と、を一体形成すると共に、前記排水トラップ部の終端部と下水管とを、軟質部と硬質部を有する内面が平滑な可撓管で連通接続して排水装置を構成した。【選択図】図１
2006328758.tif 000002
【特許請求の範囲】
【請求項１】
シンクや洗い場の底部に取り付けられるゴミ収納部と、該ゴミ収納部に連通接続される排水トラップ部と、を一体形成又は溶着形成したことを特徴とする排水装置。
【請求項２】
排水トラップ部の終端部と床立ち上げ管とを連通接続する排水導管として、軟質部と硬質部を有する内面が平滑な可撓管を用いたことを特徴とする排水装置。
【請求項３】
シンクや洗い場の底部に取り付けられるゴミ収納部と、該ゴミ収納部に連通接続される排水トラップ部と、を一体形成すると共に、前記排水トラップ部の終端部と床立ち上げ管とを、軟質部と硬質部を有する内面が平滑な可撓管で連通接続したことを特徴とする排水装置。
【発明の詳細な説明】
【技術分野】
【０００１】
この発明は、浴槽、流し台、洗面台、手洗い器に連通接続されるゴミ収納部と、該ゴミ収納部に連通接続される排水トラップ部と、該排水トラップ部の終端部と下水管とを連通接続する排水装置に係り、特に、漏水防止と接続時の芯ズレを防止することができる排水装置に関する。
【背景技術】
【０００２】
従来のこの種の排水装置としては、例えば、図４と図５に示すように、ゴミ収納部Ｐと排水トラップＱとが別体成形されていたため、ゴミ収納部Ｐから床立ち上げ管Ｋへの排水を行うためには、締め付け箇所Ａ，Ｂ，Ｃ，Ｄ，Ｅの五箇所をナットで締め付けなければならなかった。尚、図中符号Ｊは、蛇腹接続管である。
【０００３】
このため、現場の施工時における締め付けが不十分であったり、入居後の高圧洗浄の為にナットを取り外した後の締め付けが不十分であると、漏水する虞があった。
【０００４】
さらに、従来の排水装置にあっては、排水トラップの下流側に、鉄線に軟質塩化ビニール（ＰＶＣ）を巻いたシャバラホースを接続すると共に、該ジャバラホースの終端部を床立ち上げ管に連通接続していた。
【０００５】
ところで、平成１１年に「住宅の品質確保の促進等に関する法律」が施行され、その第３条第１項に、日本住宅性能表示基準に従って表示すべき住宅の性能に関する評価の方法の基準が定められており、これには、排水導管の内面が平滑であることが求められていることから、この評価基準に適合させるため、近年では、ジャバラホースに代えて、塩化ビニールの直管で接続するケースが増加しているのが現状である。
【０００６】
しかしながら、直管を用いた場合、床立ち上げ管と排水トラップとの接続における芯合わせが非常に難しいため、例えば、エルボ管や特許文献１に示すような「直管用偏心アダプタ」を用いて接続しているため、かかる施工が非常に煩雑であり、また、余分なコストが掛かるという問題を有していた。
【０００７】
【特許文献１】特開２００４−１１０９３号公報
【発明の開示】
【発明が解決しようとする課題】
【０００８】
この発明は、かかる現状に鑑み創案されたものであって、その目的とするところは、ゴミ収納部から床立ち上げ管への連通接続を、ナットによる締め付け箇所をなくすることで、完全な漏水防止を達成することができ、しかも、日本住宅性能表示基準に適合し、床立ち上げ管との芯ズレを容易に合致させることができる、排水施工が非常に簡単で余計なコストが掛からない排水装置を提供しようとするものである。
【課題を解決するための手段】
【０００９】
上記目的を達成するため、請求項１に記載の排水装置にあっては、シンクや洗い場の底部に取り付けられるゴミ収納部と、該ゴミ収納部に連通接続される排水トラップ部と、を一体形成又は溶着形成したことを特徴とする。
【００１０】
また、請求項２に記載の発明にあっては、排水トラップ部の終端部と床立ち上げ管とを連通接続する排水導管として、軟質部と硬質部を有する内面が平滑な可撓管を用いたことを特徴とする。
【００１１】
さらに、請求項３に記載の発明にあっては、シンクや洗い場の底部に取り付けられるゴミ収納部と、該ゴミ収納部に連通接続される排水トラップ部と、を一体形成すると共に、前記排水トラップ部の終端部と床立ち上げ管とを、軟質部と硬質部を有する内面が平滑な可撓管で連通接続したことを特徴とする。
【発明の効果】
【００１２】
以上説明したように、請求項１に記載の発明にあっては、シンクや洗い場の底部に取り付けられるゴミ収納部と、該ゴミ収納部に連通接続される排水トラップ部と、を一体成形又は溶着形成したので、ゴミ収納部から床立ち上げ管への連通接続を、ナットによる締め付け箇所をなくすることができ、完全な漏水防止を達成することができる。
【００１３】
また、請求項２に記載の発明にあっては、排水トラップ部の終端部と下水管とを連通接続する排水床立ち上げ管として、軟質部と硬質部を有する内面が平滑な可撓管を用いたので、日本住宅性能表示基準に適合し、床立ち上げ管との芯ズレを容易に合致させることができ、この種の排水施工を大幅に簡略化することができ、余計なコストが掛からない排水装置を提供することができる。
【００１４】
さらに、請求項３に記載の発明にあっては、シンクや洗い場の底部に取り付けられるゴミ収納部と、該ゴミ収納部に連通接続される排水トラップ部と、を一体形成すると共に、前記排水トラップ部の終端部と下水管とを、軟質部と硬質部を有する内面が平滑な可撓管で連通接続したので、ゴミ収納部から床立ち上げ管への連通接続を、ナットによる締め付け箇所をなくすることができ、完全な漏水防止を達成することができると共に、日本住宅性能表示基準に適合し、床立ち上げ管との芯ズレを容易に合致させることができ、この種の排水施工を大幅に簡略化することができ、余計なコストが掛からない排水装置を提供することができる、という優れた効果を得ることができる。
【発明を実施するための最良の形態】
【００１５】
以下、添付図面に示す発明の実施例に基づき、この発明を詳細に説明する。
【００１６】
図１は、この発明の実施例１に係る排水装置の縦断面図を、図２は同排水装置の排水トラップ部の構成を示す断面図を、図３は同排水装置に用いられる接続管の一部断面図を夫々示している。
【００１７】
即ち、この実施例１に係る排水装置１０は、流し台や洗面台等のシンク１の底部２に連設されたゴミ収納部１２と、このゴミ収納部１２の底部１３に上端が連通する断面略Ｕ字状の排水トラップ部１５と、この排水トラップ部１５をＳ字状に画成する隔壁部２１と、が一体成形されて構成されていると共に、上記排水トラップ部１５の終端部２３と、下水管に連通接続された床立ち上げ部１６との間は、軟質部１８Ｂと硬質部１８Ａを有する内面が平滑な可撓管１８で連通接続されて構成されている。
【００１８】
即ち、上記ゴミ収納部１２は、上記排水穴の１段落とし込まれた段部に嵌合係止されるフランジ部１１を有する断面略凹状に形成されており、このゴミ収納部１２の底部１３には、上記隔壁部２１によって断面略Ｕ字状の排水トラップ部１５がＳ字状に画成された排水流路の上端排水口部１９が連通接続されている。尚、この実施例１では、高圧洗浄を容易に行うことができるように、図２に示すように、Ｓ字流路の途中の壁面部２２（ゴミ収納部１２の内周壁面の一部）をキャップ１７等で開閉自在に構成した場合を例にとり説明しているが、この発明にあっては必ずしもこの構成に限定されるものではなく、ゴミ収納部１２と排水トラップ部１５とが一体成形され、或は、溶着や接着等の手段で一体化されているものであれば、全て本発明の技術的範囲に包含される。
【００１９】
また、上記可撓管１８は、図３に示すように、軟質部１８Ｂと硬質部１８Ａを有する内面が平滑なポリ塩化ビニル（ＰＶＣ）製のものを用いるが、この実施例１では、可撓管１８の許容曲げ半径が、常温で２００〜３００ｍｍのものを用いることで、Ｓ字の排水トラップ部１５の終端部２３と、床立ち上げ管１６のと芯ズレを容易に調整して接続することができる。また、このような内面が平滑な可撓管１８によれば、日本住宅性能表示基準にも適合する性能も得ることができる。
【００２０】
このように、この実施例１に係る排水装置１０にあっては、シンク１や洗い場の底部２に取り付けられるゴミ収納部１２と、該ゴミ収納部１２に連通接続される排水トラップ部１５と、を一体形成すると共に、前記排水トラップ部１５の終端部２３と床立ち上げ管１６とを、軟質部１８Ｂと硬質部１８Ａを有する内面が平滑な可撓管１８で連通接続したので、ゴミ収納部１２から床立ち上げ管１６への連通接続を、ナットを用いることなく組み立てることができ、その結果、完全な漏水防止を達成することができると共に、日本住宅性能表示基準に適合し、床立ち上げ管との芯ズレを容易に合致させることもでき、この種の排水施工を大幅に簡略化することができ、施工コストを低減させることができる。
【図面の簡単な説明】
【００２１】
【図１】この発明の実施例１に係る排水装置の縦断面図である。
【図２】同排水装置の排水トラップ部の構成を示す断面図である。
【図３】同排水装置に用いられる接続管の一部断面図である。
【図４】従来の排水配管状態を示す説明図である。
【図５】従来のナットを用いた排水装置を示す断面図である。
【符号の説明】
【００２２】
１  シンク
２  シンクの底部
１０  排水装置
１２  ゴミ収納部
１３  ゴミ収納部の底部
１５  排水トラップ部
１６  床立ち上げ部
１７  キャップ
１８  可撓管
１８Ａ  硬質部
１８Ｂ  軟質部
１９  上端排水口部
２１  隔壁部
２３  排水トラップ部の終端部
【図１】
2006328758.tif 000003
【図２】
2006328758.tif 000004
【図３】
2006328758.tif 000005
【図４】
2006328758.tif 000006
【図５】
2006328758.tif 000007